(57)【要約】【課題】ページ構成部材が、ユーザから注文された写真画像をプリンタによって担持せしめた記録紙によって形成されている写真アルバムにおいて、ユーザから注文された写真画像の数量に関わらず、十分な強度の綴じ部と外観的充実度を備え、しかも、十分に頑丈な表紙を採用することが可能な写真アルバム及び写真アルバム製作システムを提供する。【解決手段】ページ構成部材６の少なくとも一部として、写真画像を担持した記録紙片を追加的に貼付可能な画像追加用スペースＳｂを含む未完成ページＱｕを設けた。【選択図】図３
2008246709.tif 000002
【特許請求の範囲】
【請求項１】
写真画像を備えたページ構成部材と、複数の前記ページ構成部材を冊子状に綴じ合わせる綴じ部材とを有し、前記ページ構成部材が、ユーザから注文された写真画像をプリンタによって担持せしめた記録紙によって形成されている写真アルバムであって、
前記ページ構成部材の少なくとも一部として、写真画像を担持した記録紙片を追加的に貼付可能な画像追加用スペースを含む未完成ページが設けられていることを特徴とする写真アルバム。
【請求項２】
前記画像追加用スペースは前記記録紙の一部を窓状に切り抜くことで形成されていることを特徴とする請求項１に記載の写真アルバム。
【請求項３】
前記画像追加用スペースには、前記記録紙片の貼付を支援する粘着層と、前記粘着層を保護する離型シートとが設けられていることを特徴とする請求項１または２に記載の写真アルバム。
【請求項４】
前記未完成ページに、前記画像追加用スペースを示す指標用画像が形成されていることを特徴とする請求項１から３のいずれか一項に記載の写真アルバム。
【請求項５】
前記ページ構成部材は、前記未完成ページも含めて、中間紙と前記中間紙の表裏両面に貼着された前記記録紙とで構成されていることを特徴とする請求項１から４のいずれか一項に記載の写真アルバム。
【請求項６】
請求項１から５のいずれか一項による写真アルバムを作製するための写真アルバム作製システムであって、
ユーザから注文された前記写真画像に基づいて、写真画像を担持した記録紙片を追加的に貼付可能な画像追加用スペースを含む前記未完成ページの最適ページ数を判定し、前記判定の結果に基づく数量の前記未完成ページを前記プリンタにプリントせしめる制御装置を含む写真アルバム作製システム。
【発明の詳細な説明】
【技術分野】
【０００１】
本発明は、写真画像を備えたページ構成部材と、複数の前記ページ構成部材を冊子状に綴じ合わせる綴じ部材とを有し、前記ページ構成部材が、ユーザから注文された写真画像をプリンタによって担持せしめた記録紙によって形成されている写真アルバム、及び、同写真アルバムを作製するための写真アルバム作製システムに関する。
【背景技術】
【０００２】
この種の写真アルバム及び写真アルバム作製システムに関連する先行技術文献情報として、下記に示す特許文献１がある。
【０００３】
特許文献１に記された写真アルバムは、アルバムの中身を構成する頁シート（ページ構成部材）と、写真アルバムの表紙を構成するカバーシートとを有する。カバーシートは、表表紙と裏表紙と背表紙とからなり、複数のページ構成部材を冊子状に綴じ合わせる綴じ部材として機能する。ページ構成部材がカバーシートと共に綴じられた時点で、ユーザが注文した写真画像は既にページ構成部材としての記録紙にプリントされている。したがって、ユーザが改めて写真アルバムにプリントを挿入する操作は不要である。また、挿入したプリントとページ構成部材の境界に段差が生じることもないので、ページ構成部材の全体が平坦で良好な見栄えの写真アルバムとなる。
【０００４】
さらに、当然ながら原則として写真アルバムの厚さは収納される頁シートの枚数によって変動するものであるが、特許文献１に記された写真アルバム作製システムの写真アルバム編集手段には、頁シートの枚数に応じて、背表紙の幅を適切に設定調整する背表紙幅調整部が設けられているので、頁シートの枚数を柔軟に設定することが可能とされている。
【０００５】
【特許文献１】特開２００６−５８３９２号公報（段落番号００１０、００３２、図６）
【発明の開示】
【発明が解決しようとする課題】
【０００６】
しかし、一般に、所定の厚さを超える十分に頑丈な表紙を採用した場合には、頁シートの枚数が決定された後で表表紙及び裏表紙と背表紙との間の折り目を形成する操作は困難であるので、特許文献１に記された写真アルバムでは、互いに背表紙の幅の異なる数種類の表紙の中から最も適合し易いものを選択せざるを得なかった。したがって、頁シートの枚数がこれらの表紙のいずれにも適合しない中途半端な値であれば、厚さ調整用のスペーサ部材を頁シートの間に介装するといった煩雑な工程が必要であった。或いは、このような煩雑な工程を不要とするために、頁シートの枚数が決定された後で表表紙及び裏表紙と背表紙との間に折り目を形成する操作が実施可能な程度の比較的薄い素材を表紙として採用せざるを得ないという不自由さがあった。
【０００７】
そこで、本発明の目的は、上に例示した各従来技術による写真アルバムの持つ欠点に鑑み、ユーザから注文された写真画像の数量に関わらず、綴じ部に十分な強度を持たせることができ、外観的にも充実した写真アルバムとすることができるだけでなく、十分に頑丈な表紙を採用することが可能な写真アルバム、及び、同写真アルバムを作製するための写真アルバム作製システムを提供することにある。
【課題を解決するための手段】
【０００８】
本発明の第１の特徴構成は、写真画像を備えたページ構成部材と、複数の前記ページ構成部材を冊子状に綴じ合わせる綴じ部材とを有し、前記ページ構成部材が、ユーザから注文された写真画像をプリンタによって担持せしめた記録紙によって形成されている写真アルバムであって、
前記ページ構成部材の少なくとも一部として、写真画像を担持した記録紙片を追加的に貼付可能な画像追加用スペースを含む未完成ページが設けられている点にある。
【０００９】
本発明の第１の特徴構成による写真アルバムでは、ユーザから注文された写真画像の数量が非常に少ないために、記録紙の画像配置スペースの全てがユーザから注文された写真画像によって満たされた完成ページを十分に用意できず、背表紙の幅や綴じ部材の寸法が過度に余ってしまう場合には、この完成ページの後ろなどに、別の適当な時期に新たな記録紙片を追加的に貼付可能な画像追加用スペースを含む未完成ページを、不足するページ数だけ設けることで、背表紙の幅や綴じ部材の寸法とページ構成部材の数量とが良く一致し、綴じ部に十分な強度があり、外観的にも充実した写真アルバムが合理的に得られる。もちろん、本発明による写真アルバムでは、このように適当な数の未完成ページを臨機応変に設けることで、ユーザから注文された写真画像の数量と無関係にページ構成部材の数量を背表紙の幅や綴じ部材の寸法に合わせ込むことが可能となるため、写真アルバムを保護する表紙としては、十分に頑丈な素材からなる表紙を事前に準備、採用することができる。また、本発明による写真アルバムでは、新たな記録紙片を追加的に貼付可能な画像追加用スペースが設けられているので、写真アルバムの入手後に未完成ページを完成させようとするユーザの創作意欲を満足させる効果も期待できる。
【００１０】
本発明の他の特徴構成は、前記画像追加用スペースは前記記録紙の一部を窓状に切り抜くことで形成されている点にある。
【００１１】
本構成であれば、後日、ユーザが未完成ページの画像追加用スペースに、別の写真画像等を担持した新たな記録紙片を追加的に貼付する際には、窓状に切り抜かれた画像配置スペースを埋めるように貼付することで、既存の記録紙の上に新たな記録紙を貼付する構成と異なり、既存の記録紙と追加貼付された記録紙片との境界部に凹凸の目立たない、美観的に優れた完成ページが得られる。
【００１２】
本発明の他の特徴構成は、前記画像追加用スペースには、前記記録紙片の貼付を支援する粘着層と、前記粘着層を保護する離型シートとが設けられている点にある。
【００１３】
本構成であれば、後日、ユーザが未完成ページの画像追加用スペースに、別の写真画像等を担持した新たな記録紙片を追加的に貼付する際には、先ず離型シートを剥がし、次にそこに現れる粘着層に記録紙片の裏面を押し当てるだけ、という簡単な操作で写真の追加貼付が完了する。すなわち、ユーザが画像追加用スペースに糊などを塗布するといった煩雑な作業が不要である。
【００１４】
本発明の他の特徴構成は、前記未完成ページに、前記画像追加用スペースを示す指標用画像が形成されている点にある。
【００１５】
本構成であれば、ユーザ等がこの指標用画像に基づいて画像追加用スペースの位置を容易に特定できるので、新たな記録紙片を追加的に貼付する作業をより円滑に進めることができる。
【００１６】
本発明の他の特徴構成は、前記ページ構成部材は、前記未完成ページも含めて、中間紙と前記中間紙の表裏両面に貼着された記録紙とで構成されている点にある。
【００１７】
本構成であれば、中間紙の表裏の全面に粘着剤等の層を設け、或いは、全面に粘着剤等の層が設けられた中間紙を用意し、その両面に記録紙の裏面側を押し当てれば、ページ構成部材が簡単に得られる。また、その記録紙の一部が窓状に切り抜かれている場合には、記録紙片の貼付を支援する粘着剤層を内部に備えた画像追加用スペースが自動的に得られることになる。
【００１８】
本発明の他の特徴構成は、請求項１から５のいずれか一項による写真アルバムを作製するための写真アルバム作製システムであって、
ユーザから注文された前記写真画像に基づいて、写真画像を担持した記録紙片を追加的に貼付可能な画像追加用スペースを含む前記未完成ページの最適ページ数を判定し、前記判定の結果に基づく数量の前記未完成ページを前記プリンタにプリントせしめる制御装置を含む点にある。
【００１９】
本構成であれば、プリンタからは、ユーザから注文された写真画像の数量と無関係に常に一定枚数の記録紙を出力させ、但し一部の記録紙を、写真画像を担持した記録紙片を追加的に貼付可能な画像追加用スペースを含む未完成ページとして出力させれば良く、これらの未完成ページを、これと別に完成ページや表紙が有ればそれらと共に合体させて綴じれば、ユーザから注文された写真画像の数量と無関係に一定の厚さの写真アルバムが完成する。
【発明を実施するための最良の形態】
【００２０】
以下に本発明による最良の実施形態について図面を参照しながら説明する。
（写真アルバム１００の全体構成）
図１及び図２に示す写真アルバム１００は、ＤＰＥショップなどが、本発明による写真アルバム作製システムを用いて、ユーザから注文された写真画像を冊子状の写真アルバムとしたものの例であり、フォトブックと称される場合もある。
写真アルバム１００は、写真画像を備えた複数のページ構成部材６と、ページ構成部材６を保護するためのカバー部材７（綴じ部材の一例）とで構成されている。
【００２１】
図３に示すように、ページ構成部材６とカバー部材７とは製本用糊または接着剤（不図示）等によって互いに一体的に接合されている。
また、図５に示すように、各ページ構成部材６は、心材としての中間紙２の両面に、２枚の写真プリント５（記録紙の一例）を貼付したものからなる。
【００２２】
図４に示すように、写真プリント５を貼付する前の初期状態における中間紙２の両面の全面には、粘着層３と、粘着層３を保護する離型紙４とが設けられている。
図４及び図５に示すように、ページ構成部材６の作製時には、先ず離型紙４を剥がし、現れた各粘着層３に写真プリント５が貼り合わされる。
【００２３】
写真プリント５としては、図１２に例示するような、一般にミニラボ等と称される写真処理装置２０によって事前に銀塩タイプのカラー写真用印画紙に画像形成処理が施された、すなわち、何らかの露光−現像処理済みの写真プリントが用いられている。但し、もちろん、インクジェットプリンタによって画像形成処理が施された写真プリントを用いることも可能である。
【００２４】
図５に示すように、中間紙２の幅は写真プリント５の幅よりも僅かに大きく作られており、写真プリント５と略同一形状の記録紙貼付け領域２ａと、幅が数ミリメートルの綴じ代領域２ｂとからなる。写真プリント５を記録紙貼付け領域２ａに合わせて貼り合わせると、図３に示すように、中間紙２の「のど」側の端部に綴じ代領域２ｂが残される。
【００２５】
また、図３に示すように、カバー部材７は、厚紙で形成されたハードカバー状の表表紙７ａと背表紙７ｂと裏表紙７ｃとを備え、これら３つの部材は、薄く柔軟性のあるカバーシート７ｄによって一体的に連結されている。表表紙７ａと裏表紙７ｃとが背表紙７ｂに対して自由に屈曲されるように、表表紙７ａと背表紙７ｂとの境界、及び、裏表紙７ｃと背表紙７ｂとの境界には、カバーシート７ｄのみで構成された柔軟な屈曲部が設けられている。但し、カバー部材７は、例えばポリプロピレンなどの樹脂製の板を部分的な熱処理によって折り曲げ加工することで形成することも可能である。
【００２６】
ページ構成部材６をカバー部材７に接合する際には、図３の右上に示すように、先ず、全てのページ構成部材６の小口どうしを良く揃え、互いに厚さ方向で隣接する綴じ代領域２ｂどうしを粘着層３によって貼り合せる。次に、中間紙２の「のど」側の端面をポリウレタンなど多孔質樹脂製の花布（はなぎれ）８と接着し、この花布８を見返し用紙９と共にカバー部材７の内面に接着する。
【００２７】
（ページ構成部材６の構成）
この実施形態に示される写真アルバム１００の背表紙７ｂの幅寸法は、合計３０枚のページ構成部材６を綴じるのに最も適したものとなっている。また、図２や図３に示すように、本発明による写真アルバム作製システムでは、ページ構成部材６の片面（１ページ）にＬサイズの写真用の画像配置スペースＳを１コマ分だけ設けた体裁をデフォルトとしている。そこで、この体裁で３０枚のページ構成部材６の全部の画像配置スペースＳに写真画像をプリントすれば、最大６０コマの写真画像をプリントすることが可能である。
【００２８】
ところで、この実施形態では、ユーザから注文された写真画像Ｐｇが５０コマである例を想定している。そこで、この５０コマの写真画像を、ページ構成部材６の１ページ目から全ての画像配置スペースＳに順番にプリントすると、図３の左上に例示するように、ページ構成部材６の１枚目から２５枚目まで、すなわち、第１ページから第５０ページまでは、全ての画像配置スペースＳがユーザから注文された写真画像Ｐｇで埋められた完成ページＱｆとなる。
【００２９】
他方、ページ構成部材６の２６枚目から３０枚目まで、すなわち、第５１ページから第６０ページまでは、取り敢えず適用すべき写真画像が無いため、完成ページＱｆとはならず、画像追加用スペースＳｂを含む未完成ページＱｕとなっている。未完成ページＱｕの画像追加用スペースＳｂには、エンドユーザが写真アルバム１００の受取り後にＬサイズ以下の写真プリントを追加的に貼付することができる構成になっている。
【００３０】
（完成ページＱｆの構成）
図８に示すように、完成ページＱｆは中間紙２に貼付された１枚の写真プリント５からなり、その上下左右の略中央にユーザから注文された写真画像Ｐｇの１コマがプリントされているが、この中央の写真画像Ｐｇに限らず、写真プリント５の全面に何らかの画像がプリントされている。すなわち、各写真画像Ｐｇの周囲も、写真画像Ｐｇと同時にプリントされた枠状図形Ｆｇによって囲まれており、この枠状図形Ｆｇの更に外側に広がる領域も、写真画像Ｐｇと同時にプリントされた背景画像Ｂｆで完全に覆われている。枠状図形Ｆｇ及び背景画像Ｂｆは、エンドユーザによって事前に選択されたデザインで構成すれば良い。例えば、枠状図形Ｆｇは額縁を模した図で構成され、背景画像Ｂｆは淡く着色された無地の背景の上に多数の小さな絵柄（花弁など）が分散された模様（不図示）などで構成される。
【００３１】
（未完成ページＱｕの構成）
図９に示すように、未完成ページＱｕも１枚の写真プリント５からなるが、その上下左右の略中央の写真画像１コマ分の領域、すなわち、もしも完成ページＱｆであれば１コマの写真画像Ｐｇがプリントされるべき領域は、後に記録紙片を追加的に貼付可能な画像追加用スペースＳｂを形成するために、図６及び図７に示すように、中間紙２に貼付される前にカッタＣなどによって窓状に切り抜かれる。図７に示すように、このように窓状に切り抜かれた写真プリント５が中間紙２に貼付されると、この切り抜かれた領域には中間紙２と粘着層３が位置し、これらが画像追加用スペースＳｂを構成する。
尚、粘着層３が対向するページと接着されないように、中間紙２に設けられた粘着層３の表面には、Ｌサイズの写真プリントと略同形・同サイズの透明な離型フィルム１２（離型シートの一例）が貼られている。
【００３２】
未完成ページＱｕを構成している写真プリント５にも、切り抜かれた領域を包囲するように枠状図形Ｆｇ（指標用画像の一例）がプリントされており、枠状図形Ｆｇの外側の領域には完成ページＱｆと同様の背景画像Ｂｆがプリントされている。窓状に切り抜かれた写真プリント５が中間紙２に貼付された状態では、中間紙２と粘着層３からなる画像追加用スペースＳｂは、周囲の枠状図形Ｆｇに対して写真プリント５の厚さ分だけ窪んでいることになる。
【００３３】
図６に示すように、写真処理装置から出力された未完成ページＱｕ用の写真プリント５には、ＤＰＥ店などで、写真プリント５の一部を切り抜いて画像追加用スペースＳｂを形成する作業を実施する際に、切り抜き位置を作業者に示す指標ラインＩＬが目立たない破線などで示されている。
切り抜かれた後に写真プリント５に残る枠状図形Ｆｇは、エンドユーザが、画像配置スペースＳｂの位置を正確に知るための指標の機能をも果たす。
【００３４】
（写真プリントＰａの追加的貼付）
エンドユーザが、このような未完成ページＱｕの画像追加用スペースＳｂにＬサイズの写真プリントＰａを追加的に貼付する際は、図１０に示すように、離型フィルム１２を剥がし、現れた粘着層３に写真プリントＰａを押し当てるだけで、仕上がり状態の良い貼付ができる。写真プリントＰａを枠状図形Ｆｇによって示された正しい位置に貼付すると、新たに貼付された写真プリントＰａと周囲の枠状図形Ｆｇとは、両者間の境界に段差が殆どないように隣接することになる。
【００３５】
（アダプタ枠１４）
尚、写真アルバム１００には、画像追加用スペースＳｂの粘着層３からなる領域を段階的に縮小するための、図１１に例示するようなアダプタ枠１４が付属品として添付されている。これらのアダプタ枠１４は、枠状図形Ｆｇと同類の色相・濃度でプリントされた写真プリントの一部であり、種々のサイズのものが用意されており、例えば、裏表紙７ｃの内側に貼付された袋（不図示）などに装入された形態で添付されている。このようなアダプタ枠１４の少なくとも一部は、図６に示す切り抜き工程でも副産物的に得ることができる。
【００３６】
エンドユーザが、画像追加用スペースＳｂにＬサイズよりも小さな写真プリントＰｂを貼付したい場合には、図１１に示すように、適切なサイズのアダプタ枠１４を選択して、画像追加用スペースＳｂに貼付し、そのアダプタ枠１４の更に内側に残された粘着層３の領域に写真プリントＰｂを貼付すれば、隙間も重複部位もない状態で写真プリントＰｂの追加的な貼付ができる。
【００３７】
（写真処理装置の構成）
図１２に示すように、本発明による写真アルバム作製システムを構成している前述の写真処理装置２０は、写真プリンタとしてのプリントステーション２０Ｂと、プリントステーション２０Ｂで使用されるプリントデータの生成・転送などを行う操作ステーション２０Ａとから構成されている。操作ステーション２０Ａは、エンドユーザから提供される撮影画像を処理するために用いられる。プリントステーション２０Ｂでは、操作ステーション２０Ａにて処理済みの撮影画像の印画紙に対する露光処理と現像処理とが行われる。
【００３８】
操作ステーション２０Ａには、写真処理装置２０の制御装置２３として機能する汎用パソコンが設けられ、この汎用パソコン２３には、エンドユーザから提供されるメモリカード２２ｂやＣＤ−Ｒなどから画像データを取得するメディアリーダ２１が組み込まれている。また、操作ステーション２０Ａのデスク状コンソールの上部位置には、現像済みの写真フィルム２２ａから撮影画像データを取得するためのフィルムスキャナ２４、各種情報を表示するモニタ２５、各種設定や調整を行う際に用いる操作入力部として利用される操作入力デバイスとしてのキーボード２６やポインティングデバイス２７などが設置されている。
【００３９】
写真処理装置２０に設けられた写真アルバム作製用のアプリケーションを起動すると、操作ステーション２０Ａのモニタ２５に、写真アルバムのサイズ（縦横寸法及び背表紙寸法）、写真画像Ｐｇのプリントサイズ、各ページ内における画像配置スペースＳのレイアウト、枠状図形Ｆｇと背景画像Ｂｆのデザインなどをエンドユーザの希望内容に応じて選択・決定するためのパターン入力用画面（不図示）が表示される。
【００４０】
（画像処理ユニット３０の構成）
制御装置２３の画像処理ユニット３０には、ユーザから注文された写真画像Ｐｇに基づいてページ構成部材６を自動編集するためのページ編集モジュール３２が備えられている。
このページ編集モジュール３２は、前記パターン入力用画面で入力された各設定条件と、ユーザから注文された写真画像Ｐｇの全データとに基づいて完成ページＱｆと未完成ページＱｕの各数量を決定するページ配分決定部３３、枠状図形Ｆｇと背景画像Ｂｆとユーザから注文された写真画像Ｐｇとが１つの画像に合成された完成ページＱｆ用の全体画像を作成する完成ページ合成部３４、及び、ユーザから注文された写真画像Ｐｇを含まず、枠状図形Ｆｇと背景画像Ｂｆのみが１つの画像に合成された未完成ページＱｕ用の全体画像を作成する未完成ページ合成部３５を備える。
【００４１】
また、ページ編集モジュール３２には、ページ配分決定部３３が、選択された写真画像のレイアウトと、ユーザから注文された写真画像Ｐｇのデータに含まれる写真画像の数量とから、作製すべき未完成ページＱｕの数量を判定するために参照するＬＵＴ（ルックアップテーブル）３６が設けられている。ＬＵＴ３６は前記パターン入力用画面で選択されるパターンの選択肢毎に異なるものが用意されている。
【００４２】
パターンの決定後、モニタ２５の前記パターン入力用画面などに設けられたプリント実行ボタンを押すと、画像処理ユニット３０によって作成された完成ページＱｆと未完成ページＱｕとの画像データがプリントステーション２０Ｂに転送され、プリントステーション２０Ｂのプリント部で印画紙にプリントされ、現像処理部にて現像処理されて、写真プリント５として出力される。選択されたパターンの種類と、ユーザから注文された写真画像Ｐｇの数量によっては、ページ構成部材６の表面は完成ページＱｆで、裏面は未完成ページＱｕとなる場合もある。
【００４３】
〔別実施形態〕
〈１〉前記パターン入力用画面で選択されるパターンの中には、もちろん、ページ構成部材６の各ページに複数の画像配置スペースＳが設けられたパターンも含まれて良い。また、この場合、前のページから順に全ての画像配置スペースにユーザから注文された写真画像を配置するという原則を守らずに、例えば、各頁に画像追加用スペースが分散的に設けられたパターンも選択可能にすることができる。
【００４４】
〈２〉粘着層３の粘着力は、写真プリント５、Ｐａ、Ｐｂを原則として恒久的に貼付することを前提とした値としても良いが、むしろ、少なくとも数回にわたって写真プリントを繰り返し付け外すことを前提として適度に弱い接着力の粘着層としても良い。
【００４５】
〈３〉複数のページ構成部材６を冊子状に綴じて写真アルバムとするための方法として、ハードカバー状のカバー部材にページ構成部材６の綴じ代を接着する形態に代えて、リング状の綴じ部材（不図示）を用いて、ハードカバー状のカバー部材とページ構成部材６とを綴じる形態を用いても良い。
【００４６】
〈４〉未完成ページＱｕの画像追加用スペースＳｂに位置する粘着層３を保護する離型シートとして、前述の透明な離型フィルム１２ではなく、ＤＰＥショップで設定或いは選択した、又は、エンドユーザが予め選択した何らかのイメージが表面にプリントされた画像付き離型シートを用いることも可能である。特に、写真プリントを繰り返し付け外すことの可能な適度に弱い接着力の粘着層を用いる場合、通常のレジンコート（ＲＣ）タイプの写真プリントを画像付き離型シートとして代用することも可能である。
【００４７】
〈５〉中間紙２を用いずに、２枚の写真プリント５の各裏面どうしを接着剤または粘着剤の層を介して貼着することで、ページ構成部材６を形成しても良い。ここで、上記の実施形態のように各ページの上下左右の中心部に画像配置スペースＳを設けた構成では、ページ構成部材６の片側のページのみを未完成ページＱｕとすることができ、この未完成ページＱｕの切り抜かれた画像追加用スペースＳｂには、対向する完成ページＱｆの裏面に設けられている粘着層の一部が位置することになる。他方、上記の実施形態とは異なり、１つのページ構成部材６を形成する１ページ目の画像配置スペースＳと２ページ目の画像配置スペースＳとの間で重複する箇所が無いように画像配置スペースＳを設けた構成では、ページ構成部材６の両側のページを未完成ページＱｕとすることができる。
【図面の簡単な説明】
【００４８】
【図１】本発明による写真アルバムの閉じた状態を示す斜視図
【図２】本発明による写真アルバムの開いた状態を示す斜視図
【図３】本発明による写真アルバムの組立て手順を示す斜視図
【図４】初期状態における中間紙を示す斜視図
【図５】完成ページ用のページ構成部材と中間紙との貼付工程を示す斜視図
【図６】写真プリントの一部を窓状に切り抜く工程を示す斜視図
【図７】未完成ページ用のページ構成部材と中間紙との貼付工程を示す斜視図
【図８】完成ページの一例を示す平面図
【図９】未完成ページの一例を示す平面図
【図１０】未完成ページに写真プリントを追加的に貼付する工程を示す斜視図
【図１１】未完成ページに小サイズの写真プリントを追加する工程を示す斜視図
【図１２】写真アルバム作製システムに用いられる写真処理装置の略図
【符号の説明】
【００４９】
Ｐｇ  写真画像
Ｓ  画像配置スペース
Ｓｂ  画像追加用スペース
Ｆｇ  枠状図形
Ｂｆ  背景画像
Ｐａ，Ｐｂ  追加される写真プリント
Ｑｆ  完成ページ
Ｑｕ  未完成ページ
２  中間紙
２ａ  記録紙貼付け領域
２ｂ  綴じ代領域
３  粘着層
５  写真プリント（記録紙）
６  ページ構成部材
７  カバー部材
１２  離型フィルム
１４  アダプタ枠
２０  写真処理装置
３２  ページ編集モジュール
３３  ページ配分決定部
３４  完成ページ合成部
３５  未完成ページ合成部
３６  ＬＵＴ
１００  写真アルバム
【図１】
2008246709.tif 000003
【図２】
2008246709.tif 000004
【図３】
2008246709.tif 000005
【図４】
2008246709.tif 000006
【図５】
2008246709.tif 000007
【図６】
2008246709.tif 000008
【図７】
2008246709.tif 000009
【図８】
2008246709.tif 000010
【図９】
2008246709.tif 000011
【図１０】
2008246709.tif 000012
【図１１】
2008246709.tif 000013
【図１２】
2008246709.tif 000014